(57)【要約】【課題】  カッター刃により紙パック容器の開口キャップを紙パック容器から取り除く紙パックキャップ切断器に関して、特に開口キャップと連携する構造のカッター刃により、安全かつ容易に開口キャップを取り除くことのできる紙パック切断器を提供する。【解決手段】  紙パックキャップ切断器１０は、紙パックの開口キャップに回転可能に固定される軸状の軸回転手段としてのキャップ取付部１と、このキャップ取付部１の周囲に配設され、複数の平面板からなる羽状の羽体としての羽板２と、この羽板２の前記キャップ取付部１と対向する側の先端部に配設され、カッター刃からなる切断カッター手段としての切断カッター３とから構成され、前記キャップ取付部１を開口キャップに固定して回転させることで、前記切断カッター３も同時に回転し、開口キャップの周囲の紙パックを切断して分離する。【選択図】図１
0003147659.tif 000002
【実用新案登録請求の範囲】
【請求項１】
紙パック容器の内部に充填された液体の取出口としての開口キャップを当該紙パック容器から分離切断する紙パックキャップ切断器において、
前記開口キャップに回転可能に固定される軸状の軸回転手段と、
前記軸回転手段の周囲に配設され、１又は複数の板体からなる羽状の羽体と、
前記羽体における前記軸回転手段と対向する側の先端部に配設され、カッター刃からなる切断カッター手段とを備えることを
特徴とする紙パックキャップ切断器。
【請求項２】
請求項１に記載の紙パックキャップ切断器において、
前記軸回転手段及び前記羽体が、合成樹脂にて作製されることを
特徴とする紙パックキャップ切断器。
【考案の詳細な説明】
【技術分野】
【０００１】  本考案は、カッター刃により紙パック容器の開口キャップを紙パック容器から取り除く紙パックキャップ切断器に関して、特に開口キャップと連携する構造のカッター刃により、安全かつ容易に開口キャップを取り除くことのできる紙パック切断器に関する。
【背景技術】
【０００２】  キャップ付き紙パック容器は、紙パック容器に注ぎ出し口としての開口キャップを備え付けられた容器であり、この開口キャップを都度開栓することにより内容物を容易に注ぎ出すことができ、酒や調味料をはじめとする飲料容器として消費者に広く利用されている。また、この開口キャップが紙パック容器本体とは異なる素材、例えば合成樹脂により形成されるために、消費者は、廃棄時に紙パック容器本体と分別して廃棄する必要がある。【０００３】  しかし、紙パックの開口キャップは、接着剤の品質向上により紙パックとの粘着力が高くなり、紙パック容器と開口キャップとの分別がさらに面倒な作業となり、当該分別が十分になされていないというのが現状である。このため、紙パック容器及び開口キャップのリサイクル率が低下しているという問題がある。二酸化炭素やダイオキシンの排出などの地球環境問題への要求が高まる中、家庭ごみの分別収集が進められる一方で、ジュースや酒類に使用される紙パックのうち唯一のプラスチックである開口キャップを容易に分別廃棄できる方法が強く望まれている。【０００４】  この問題を解決するために、従来技術としての紙パック切り開きカッターは、図６に示すように、対象部材を切断するための刃１０１と、刃を支える刃挟持部１０２と、刃１０１を刃挟持部１０２に固定するための止めねじ１０３と、刃挟持部１０２の片端から刃挟持部１０２に対して鋭角的に延出された一対の角辺誘導部１０４と、さらに角辺誘導部１０４を含み連続して延出された持ち手部１０５、そして角辺誘導部１０４の終端が本体正面でＶ字状の切れ込みを形成してなる角辺捕捉部１０６とで構成され、前記刃１０１により紙パックを切り開くものがある（例えば、特許文献１参照）。
【特許文献１】  特開２００４−１８１１７５号公報
【考案の開示】
【考案が解決しようとする課題】
【０００５】  しかし、従来技術の紙パック切り開きカッターを用いて、紙パックの開口キャップを分別のために分離切断する場合には、作業者は、片手で紙パックを持ってしっかり固定し、もう一方の手で開口キャップの周囲に沿って紙パックを切り取るという慎重な手作業を必要とするという課題を有する。また、当該紙パックは厚みがあり頑丈なために、作業者が当該紙パックをしっかり固定していない場合には、カッター刃の動作制御ができずに作業者の身に危険が伴うという課題を有する。【０００６】  本考案は、前記課題を解消するためになされたもので、安全かつ容易に紙パックから開口キャップを取り除くことを可能とする紙パックキャップ切断器の提供を目的とする。
【課題を解決するための手段】
【０００７】  本考案に係る紙パックキャップ切断器は、紙パック容器の内部に充填された液体の取出口としての開口キャップを当該紙パック容器から分離切断する紙パックキャップ切断器において、前記開口キャップに回転可能に固定される軸状の軸回転手段と、前記軸回転手段の周囲に配設され、１又は複数の板体からなる羽状の羽体と、前記羽体における前記軸回転手段と対向する側の先端部に配設され、カッター刃からなる切断カッター手段とを備えるものである。【０００８】  このように本考案に開示する紙パックキャップ切断器は、軸回転手段が前記開口キャップに回転可能に固定され、羽体が前記軸回転手段の周囲に配設され、切断カッター手段が当該羽体における軸回転手段と対向する先端部に配設されることから、キャップに軸回転手段を嵌め、当該軸回転手段を３６０度回転させて開口キャップが容易に切り落とされることとなり、シンプルな動作で容易に開口キャップを紙パックと分別することができる。【０００９】  また、本考案に係る紙パックキャップ切断器は必要に応じて、前記軸回転手段及び前記羽体が、合成樹脂にて作製されるものである。このように本考案に開示する紙パックキャップ切断器は、合成樹脂にて作製されることから、軽さと耐久性を備えることとなり、使い勝手の良さを提供することができる。
【考案を実施するための最良の形態】
【００１０】  （本考案の第１の実施形態）
以下、本考案の第１の実施形態に係る紙パックキャップ切断器を、図１から図５に基づいて説明する。この図１は本考案の第１の実施形態に係る紙パックキャップ切断器の構成を示す構成図、図２は図１に記載された紙パックキャップ切断器のフローチャート、図３は図１に記載された紙パックキャップ切断器を用いたキャップ分別の動作図、図４は図１に記載された紙パックキャップ切断器を用いたキャップ分別の作用図、図５は図１に記載された紙パックキャップ切断器の変形例を示す。【００１１】  図１（ａ）において、第１の実施形態に係る紙パックキャップ切断器１０は、紙パックの開口キャップに回転可能に固定される軸状の軸回転手段としてのキャップ取付部１と、このキャップ取付部１の周囲に配設され、複数の平面板から構成される羽状の羽体としての羽板２と、この羽板２の前記キャップ取付部１と対向する側の先端部に配設され、カッター刃からなる切断カッター手段としての切断カッター３とから構成される。【００１２】  また、キャップ付き紙パック２０は、図１（ｂ）に示すように、キャップ２１と、紙パック２２から構成される。このキャップ２１は、合成樹脂製、例えばプラスチック製のものを使用することができる。【００１３】  以下、前記構成に基づく本実施形態の紙パックキャップ切断器の使用方法について説明する。
まず、紙パックキャップ切断器１０は、図２に示すように、前記キャップ２１に固定される（Ｓ１）。この固定により、紙パックキャップ切断器１０は、図１（ｃ）に示すように、キャップ付き紙パック２０と固定される。【００１４】  次に、前記キャップ取付部１は、図２に示すように、前記キャップ２１の軸を中心に回転される（Ｓ２）。前記羽板２は、図３に示すように、この回転とともに前記キャップ２１の周囲を回転する。前記羽板２の先端部に取り付けられた前記切断カッター３は、図２に示すように、前記キャップ２１の周囲の前記紙パック２２を切断し、前記紙パック２２から前記キャップ２１を分離する（Ｓ３）。【００１５】  このように、前記キャップ２１に嵌められたキャップ取付部１を３６０度回転させるのみで、図４（ａ）に示された前記キャップ２１が容易かつ綺麗に切り落とされることとなり、図４（ｂ）で示すように、シンプルな動作で容易に前記キャップ２１と前記紙パック２２とを切断分離することができる。【００１６】  前記紙パックキャップ切断器１０は、図２に示すように、この分離により前記キャップ２１の分別が終わった後には、前記キャップ２１から取り出す（Ｓ４）。このように、紙パックキャップ切断器１０は、使い捨ての器具ではなく、何度でも使用することができ、地球環境に優しく資源の有効活用ができる。【００１７】  また、本実施形態では、前記キャップ取付部１が前記キャップ２１の内周部に回転可能に嵌められる構造としたが、本考案はこの構造に限定されることはなく、例えば、図５に示すように、前記キャップ取付部１が前記キャップ２１の外周部に回転可能に嵌められる構造とすることも可能である。さらに、前記キャップ取付部１は、前記キャップ２１の外周部に、このキャップ２１と螺合する蓋のための溝が設けられている場合には、この溝に載る形状を有することにより、この蓋と同様に前記キャップ２１と螺合することも可能である。この螺合により、前記キャップ取付部１は、しっかりと固定された状態での回転動作が可能となり、前記切断カッター３により前記紙パック２２を安定的かつ確実に切断することができる。【００１８】  また、本実施形態では、前記羽板２を複数備える構造としたが、本考案はこの構造に限定されることはなく、例えば、１つの前記羽板２を備える構造としても、十分に前記キャップ２１を分離切断することが可能である。また、本実施形態では、前記羽板２を平面板とする構造としたが、本考案はこの構造に限定されることはなく、例えば、曲面板としての前記羽板２を備える構造とすることも可能である。【００１９】  また、前記紙パックキャップ切断器１０は、前記キャップ付き紙パック２０の製品の付属品として前記キャップ付き紙パック２０に備え付けられることもできる。この場合には、前記キャップ付き紙パック２０を使い終えた消費者が、外部の器具を必要とせずに、直ちに分別廃棄が行えるという高い利便性が得られ、分別廃棄を促進することで前記キャップ２１のリサイクル率を向上させることができる。
【図面の簡単な説明】
【００２０】
【図１】本考案の第１の実施形態に係る紙パックキャップ切断器の構成を示す構成図
【図２】本考案の第１の実施形態に係る紙パックキャップ切断器のフローチャート
【図３】本考案の第１の実施形態に係る紙パックキャップ切断器を用いたキャップ分別の動作図
【図４】本考案の第１の実施形態に係る紙パックキャップ切断器を用いたキャップ分別の作用図
【図５】本考案の第１の実施形態に係る紙パックキャップ切断器の変形例
【図６】従来の紙パックキャップ切断器の斜視図
【符号の説明】
【００２１】１  キャップ取付部
２  羽板
３  切断カッター
１０  紙パックキャップ切断器
２０  キャップ付き紙パック
２１  キャップ
２２  紙パック
１０１  刃
１０２  刃挟持部
１０３  止めねじ
１０４  角辺誘導部
１０５  持ち手部
１０６  角辺捕捉部
【図１】
0003147659.tif 000003
【図２】
0003147659.tif 000004
【図３】
0003147659.tif 000005
【図４】
0003147659.tif 000006
【図５】
0003147659.tif 000007
【図６】
0003147659.tif 000008